(57)【要約】【課題】簡単な構成で厚さが異なる光ディスクでも適切に保持できるターンテーブルを備えたディスク装置を提供する。【解決手段】ターンテーブル２２１の軸支部２２１Ａに、回動にて軸支部２２１Ａの外周面から進退する抑え部２２３Ｂを回動端に有した第一回動部材２２３と、回動にて軸支部２２１Ａの軸方向に略沿って移動する状態に軸支部２２１Ａの外周面から突出する押出部２２４Ｂを有した第二回動部材２２４とを、回動可能に配設する。光ディスク１０が押出部２２４Ｂに当接して第二回動部材２２４が回動すると、挾持付勢部材２２５Ｂが潰れて弾性変形し、着脱付勢部材２２５Ａの付勢力に抗して第一回動部材２２３が回動して抑え部２２３Ｂが押出部２２４Ｂに向けて近接する方向に進出する。光ディスク１０を抑え部２２３Ｂと押出部２２４Ｂとの間に着脱付勢部材２２５Ａの付勢力により確実に挾持保持できる。【選択図】図６
2008117477.tif 000002
【特許請求の範囲】
【請求項１】
略中央に孔部を有するディスク状の記録媒体を着脱可能に保持する記録媒体保持装置であって、
前記孔部に挿通する軸支部と、
この軸支部の軸方向に略直交しかつ前記軸支部の外面の接線方向に略沿う回動中心により前記軸支部に回動可能に軸支され、回動により前記軸支部の外面から進退可能な抑え部を回動端に有した第一回動部材と、
前記軸支部の軸方向に略直交しかつ前記軸支部の外面の接線方向に略沿う回動中心により前記軸支部に回動可能に軸支され、回動により前記軸支部の軸方向に略沿って移動可能に前記軸支部の外面から突出する押出部を回動端に有した第二回動部材と、
一端部が前記第一回動部材の一端部に接離方向で移動する状態に前記軸支部の軸方向に略沿って回動可能に、前記軸支部の外周面から突出する状態で前記軸支部に軸支された第二回動部材と、
前記記録媒体が前記孔部に前記軸支部が挿通されて前記第二回動部材に当接し前記第二回動部材を回動させると、前記第一回動部材を前記軸支部の外面から前記抑え部が進出して前記第二回動部材の押出部に向けて近接する方向に回動させて前記記録媒体を前記抑え部および前記押出部間に挾持保持させる付勢機構部と、
を具備したことを特徴とした記録媒体保持装置。
【請求項２】
請求項１に記載の記録媒体保持装置であって、
前記軸支部は、軸方向の一端側に外方に向けて鍔状に突出する鍔部を有し、
前記第一回動部材は、前記抑え部が前記軸支部の他端側から一端側に向けて回動することにより前記軸支部の外周面から進出する状態に軸支され、
前記第二回動部材は、前記押出部が前記軸支部の他端側から前記第一回動部材の抑え部に対向する面が前記鍔部の平面上の位置または前記鍔部の平面上の位置から前記軸方向の他端側の位置へ回動可能に軸支された
ことを特徴とした記録媒体保持装置。
【請求項３】
請求項２に記載の記録媒体保持装置であって、
前記鍔部は、前記軸支部が突出する側の面に摩擦抵抗の大きい部材が設けられた
ことを特徴とした記録媒体保持装置。
【請求項４】
請求項１ないし請求項３のいずれかに記載の記録媒体保持装置であって、
前記第一回動部材および前記第二回動部材は、同軸上に軸支された
ことを特徴とした記録媒体保持装置。
【請求項５】
請求項１ないし請求項４のいずれかに記載の記録媒体保持装置であって、
前記第一回動部材の抑え部は、前記第二回動部材の押出部との対向距離が回動端側に従って長くなる状態に拡開する傾斜面を有した
ことを特徴とした記録媒体保持装置。
【請求項６】
請求項１ないし請求項５のいずれかに記載の記録媒体保持装置であって、
前記付勢機構部は、前記抑え部および前記押出部により前記記録媒体を挾持保持している状態で、前記記録媒体が前記孔部に嵌挿する前記軸支部が外される状態に前記第一回動部材を付勢力に抗して回動させると、前記第二回動部材を回動させて前記押出部により前記記録媒体を前記孔部から前記軸支部が外れる方向に押し出す
ことを特徴とした記録媒体保持装置。
【請求項７】
請求項１ないし請求項６のいずれかに記載の記録媒体保持装置であって、
前記第一回動部材は、回動中心に対して前記抑え部と反対側に突出する規制部を有し、
前記第二回動部材は、回動中心に対して前記押出部と反対側に突出し前記第一回動部材の規制部に略対向する付勢部を有し、
前記付勢機構部は、前記規制部と前記付勢部との間に配設され、所定の対向距離より対向距離が短くなると互いに離間させる方向に付勢力を作用させる挾持付勢部材を備えた
ことを特徴とした記録媒体保持装置。
【請求項８】
請求項７に記載の記録保持装置であって、
前記挾持付勢部材は、前記規制部および前記付勢部間に位置して配設された弾性部材である
ことを特徴とした記録媒体保持装置。
【請求項９】
請求項１ないし請求項８のいずれかに記載の記録媒体保持装置であって、
前記付勢機構部は、前記第一回動部材の前記抑え部が前記軸支部の外面から後退した状態を維持させる付勢力を作用させるとともに、この付勢力に抗して前記第一回動部材が回動されると前記抑え部を進出する状態に付勢力を作用させる着脱付勢部材を備えた
ことを特徴とした記録媒体保持装置。
【請求項１０】
請求項９に記載の記録媒体保持装置であって、
前記着脱付勢部材は、前記軸支部の径方向に略沿って移動可能に配設され移動方向の端部が前記第一回動部材に係脱する移動子と、この移動子を前記軸支部の外方に向けて移動させる状態に付勢力を作用させる弾性部材と、を具備した
ことを特徴とした記録媒体保持装置。
【請求項１１】
請求項１ないし請求項１０のいずれかに記載の記録媒体保持装置と、
この記録媒体保持装置に保持された前記記録媒体へ情報を記録する記録処理および前記記録媒体に記録された情報を読み取る読取処理のうちの少なくともいずれか一方の情報処理を実施する情報処理部を備えたディスク処理部と、
を具備したことを特徴としたディスク装置。
【発明の詳細な説明】
【技術分野】
【０００１】
本発明は、ディスク状の記録媒体を保持する記録媒体保持装置、およびこの記録媒体保持装置を備えたディスク装置に関する。
【背景技術】
【０００２】
従来、ノート型パソコンなどに装着可能な薄型のディスクドライブ、いわゆるスリムディスクドライブが知られている。このスリムディスクドライブとして、利用者がいわゆるターンテーブルに記録媒体を着脱させる構成が知られている（例えば、特許文献１参照）。
特許文献１に記載のものは、ディスクの装着時に上方向からディスク内周縁を押圧する上部爪と下片とを有したクランプアームを、ディスク未装着時に第２の位置に配置させ、ディスク装着の際に下片へのディスクからの押圧力が作用して下方に回動する状態に、ターンテーブルに配設している。クランプアームを弾性的に押圧して、第一の位置と第２の位置とに保持する支持アームを、ターンテーブルに配設する。ディスクの脱着時に、クランプアームを第１の位置から第２の位置に、クランプアームの弾性的な押圧力に抗して強制的に回動させる解除機構５をターンテーブルに配設している。
【０００３】
【特許文献１】特開平１０−２０８３７６号公報
【発明の開示】
【発明が解決しようとする課題】
【０００４】
しかしながら、上述した特許文献１に記載のような上部爪と下片とでディスクの内周縁をくわえ込むように挾持する構成では、例えばディスクの厚さ寸法が異なる場合、適切にディスクを保持できないおそれがある。
例えば、２枚のＤＶＤを貼り合わせた形態のディスクなど、ディスクの厚さが所定の厚さ寸法より厚くなると、上部爪部がディスク内周面に当接する状態となり、保持できない、さらには貼り合わせた境界部分に上部爪部が入り込んでディスクを損傷するなどのおそれもある。一方、比較的に厚いディスクでも挾持できるように上部爪および下片との間を大きく設計すると、薄いディスクを挾持できなくなるおそれがある。
【０００５】
本発明は、このような実情などに鑑みて、簡単な構成で厚さが異なる記録媒体でも適切に保持できる記録媒体保持装置、および、ディスク装置を提供することを一つの目的とする。
【課題を解決するための手段】
【０００６】
請求項１に記載の発明は、略中央に孔部を有するディスク状の記録媒体を着脱可能に保持する記録媒体保持装置であって、前記孔部に挿通する軸支部と、この軸支部の軸方向に略直交しかつ前記軸支部の外面の接線方向に略沿う回動中心により前記軸支部に回動可能に軸支され、回動により前記軸支部の外面から進退可能な抑え部を回動端に有した第一回動部材と、前記軸支部の軸方向に略直交しかつ前記軸支部の外面の接線方向に略沿う回動中心により前記軸支部に回動可能に軸支され、回動により前記軸支部の軸方向に略沿って移動可能に前記軸支部の外面から突出する押出部を回動端に有した第二回動部材と、一端部が前記第一回動部材の一端部に接離方向で移動する状態に前記軸支部の軸方向に略沿って回動可能に、前記軸支部の外周面から突出する状態で前記軸支部に軸支された第二回動部材と、前記記録媒体が前記孔部に前記軸支部が挿通されて前記第二回動部材に当接し前記第二回動部材を回動させると、前記第一回動部材を前記軸支部の外面から前記抑え部が進出して前記第二回動部材の押出部に向けて近接する方向に回動させて前記記録媒体を前記抑え部および前記押出部間に挾持保持させる付勢機構部と、を具備したことを特徴とした記録媒体保持装置である。
【０００７】
請求項１１に記載の発明は、請求項１ないし請求項１０のいずれかに記載の記録媒体保持装置と、この記録媒体保持装置に保持された前記記録媒体へ情報を記録する記録処理および前記記録媒体に記録された情報を読み取る読取処理のうちの少なくともいずれか一方の情報処理を実施する情報処理部を備えたディスク処理部と、を具備したことを特徴としたディスク装置である。
【発明を実施するための最良の形態】
【０００８】
以下、本発明における一実施形態を図面に基づいて説明する。
図１は、本発明の一実施形態に係るディスク装置の内部の概略を示す平面図である。図２は、ディスク装置のトレイ部を引き出した状態におけるディスク装置の内部を示す平面図である。図３は、ターンテーブルの概略構成を示す平面図である。図４は、ターンテーブルのディスク係脱部の位置での一部を切り欠いた断面図で、光ディスクの装着待機状態を示す説明図ある。図５は、ターンテーブルのディスク係脱部の位置での一部を切り欠いた断面図で、光ディスクの装着途中の状態を示す説明図ある。図６は、ターンテーブルのディスク係脱部の位置での一部を切り欠いた断面図で、光ディスクの装着状態を示す説明図ある。図７は、ターンテーブルのディスク係脱部の位置での一部を切り欠いた断面図で、厚い光ディスクの装着状態を示す説明図である。なお、図１および図２は、説明の都合上、ディスク係脱部を省略した状態を示す。
【０００９】
〔ディスク装置の構成〕
図１および図２において、１００は、本発明の一実施形態にかかるディスク装置である。このディスク装置１００は、例えばノート型のパーソナルコンピュータなどの携帯型の電気機器や、車両などに搭載される電気機器などに装着される、いわゆるセルフチャック機構のスリムディスク装置（あるいはスリムディスクドライブ）と称されるものである。
このディスク装置１００は、ディスク状の記録媒体における少なくとも一面に設けられた記録面１２（図５ないし図７参照）に記録された情報を読み込む読込処理、および記録面１２へ各種情報を記録する記録処理のうち少なくとも一方の処理をする。ここで、このディスク状の記録媒体としては、例えば、ＣＤ(Compact Disc)やＤＶＤ(Digital Versatile Disc)あるいはＢＤ（Blu-ray Disc：ブルーレイディスク）またはＨＤ−ＤＶＤ（High Definition DVD）などの光ディスク１０（図５ないし図７参照）、光磁気ディスク、磁気ディスク、あるいは、これらを貼り合わせた複合ディスクなどの各種構成を例示することができる。
そして、ディスク装置１００は、例えば金属製で内部空間を有し一側面に図示しない挿排口が設けられた略四角箱状のケース体１１０を有している。また、ケース体１１０内には、トレイ部１２０と、このトレイ部１２０をケース体１１０の開口を介して進退させる搬送手段１３０と、ディスク装置１００全体の動作を制御する図示しない制御回路部と、が配設されている。
【００１０】
トレイ部１２０は、トレイ１２１と、化粧板１２２と、を備えている。
トレイ１２１は、例えば合成樹脂などにて略板状に形成されている。そして、トレイ１２１には、略中央部に装着開口１２１Ａが開口形成されている。
化粧板１２２は、トレイ１２１の一縁に設けられ、搬送手段１３０にてケース体１１０内に後退された状態でケース体１１０の開口を閉塞する合成樹脂などにて細長板状に形成されている。
そして、トレイ部１２０には、トレイ１２１の装着開口１２１Ａに一部が臨む状態にディスク処理部としてのトラバースメカ２００が配設されている。
【００１１】
搬送手段１３０は、ケース体１１０内に配設されたガイドレール１３１と、図示しない付勢手段と、図示しない付勢解除手段と、などを備えている。
ガイドレール１３１は、トレイ部１２０の開口を介した進退方向に沿って配設され、トレイ部１２０の進退移動を案内誘導する。
付勢手段は、例えばばね部材などで、トレイ部１２０がケース体１１０内に後退された状態で弾性変形され、弾性変形による復元力をトレイ部１２０が開口を介して進出する状態に作用させる。
付勢解除手段は、トレイ部１２０がケース体１１０内に後退されて化粧板１２２が開口を閉塞した状態でトレイ部１２０に設けられた図示しない係脱手段に係合する。そして、付勢解除手段は、例えば化粧板１２２に配設されたイジェクトボタンの操作など、トレイ部１２０の進出要求に応じて係脱手段の係合状態を解除する。
【００１２】
トレイ部１２０に配設されたトラバースメカ２００は、枠状に形成された台座部２１０を備えている。この台座部２１０には、周縁近傍に位置して、ディスク回転駆動手段２２０が配設されている。
このディスク回転駆動手段２２０は、スピンドルモータである図示しない回転用電動モータと、この回転用電動モータの出力軸に一体的に設けられた略円盤状の記録媒体保持装置としてのターンテーブル２２１と、を備えている。
ターンテーブル２２１は、略円柱状の軸支部２２１Ａと、この軸支部２２１Ａの軸方向の一端部に外方に向けて鍔状に一体に突設された鍔部２２１Ｂと、を備えている。そして、軸支部２２１Ａは、光ディスク１０の略中心位置に形成された孔部としての装着孔１１（図５ないし図７参照）の内径と略同径もしくは若干径小の外径に形成されている。また、鍔部２２１Ｂにおける軸支部２２１Ａが突出する側の面には、例えばゴムなどの摩擦係数が比較的に大きい部材である滑り止め部２２１Ｃが略環状に設けられている。なお、滑り止め部２２１Ｃは、環状に限らず、複数のゴムを環状配置するなど、光ディスク１０に当接することで滑り止めとなる各種形態や材料を利用できる。
【００１３】
また、ターンテーブル２２１の軸支部２２１Ａには、図４ないし図６に示すように、光ディスク１０の装着孔１１を係脱可能なディスク係脱部２２２を備えている。
このディスク係脱部２２２は、例えば、軸支部２２１Ａの周方向で略三等分する位置に３つ配設されている。なお、３つに限らず、さらに複数設けてもよい。
そして、ディスク係脱部２２２は、第一回動部材２２３と、第二回動部材２２４と、付勢機構部２２５と、などを備えている。
【００１４】
第一回動部材２２３は、三角柱状に形成され、頂部には、回動中心となる回動軸２２６が回転自在に嵌挿される内周面が略円筒状の軸受部２２３Ａが設けられている。この軸受部２２３Ａは、平面視における回動中心を通る直線が反対側の底面２２３Ａ１と略垂直に交わる状態に形成されている。また、第一回動部材２２３は、軸受部２２３Ａの回動中心に対して一端側に抑え部２２３Ｂ、他端側に規制部２２３Ｃを構成している。
そして、第一回動部材２２３は、中心軸が軸支部２２１Ａの軸方向に略直交しかつ軸支部２２１Ａの外周面の接線方向に略沿う状態に配設される回動軸２２６に軸受部２２３Ａが軸支され、底面が軸支部２２１Ａの他端面となる上端面側に位置し、抑え部２２３Ｂが軸支部２２１Ａの外周面から進退する状態に回動可能に配設されている。この配設状態で、第一回動部材２２３は、抑え部の軸受部側の斜面となる傾斜面が上方に向けて傾斜する状態となっている。
【００１５】
第二回動部材２２４は、柱状部材の中間部が一側に折曲した状態に平面視で略く字状に形成され、中間部の折曲する部分の折曲する側の一側には、第一回動部材２２３の軸受部２２３Ａとともに回動軸２２６が同軸上に回転自在に嵌挿される内周面が略円筒状の軸受２２４Ａが設けられている。また、第二回動部材２２４は、軸受２２４Ａの回動中心に対して一端側に押出部２２４Ｂ、他端側に付勢部２２４Ｃを構成している。
そして、第二回動部材２２４は、回動軸２２６に軸受２２４Ａが軸支され、押出部２２４Ｂが軸支部２２１Ａの外周面から突出し、軸支部２２１Ａの軸方向に略沿った方向で回動可能、すなわち、押出部２２４Ｂが第一回動部材２２３の抑え部２２３Ｂに対して接離する状態に回動可能に配設されている。なお、第二回動部材２２４は、押出部２２４Ｂが鍔部２２１Ｂに当接する状態（図６参照）で、抑え部２２３Ｂに対向する面が鍔部２２１Ｂの滑り止め部２２１Ｃの上端面の延長上の位置、または延長上から軸支部２２１Ａの一端側となる鍔部２２１Ｂ側に若干位置する状態に形成されている。
【００１６】
付勢機構部２２５は、光ディスク１０をターンテーブル２２１に装着する際、光ディスク１０の装着孔１１に軸支部２２１Ａが挿通されて第二回動部材２２４に当接して回動させると、第一回動部材２２３を軸支部２２１Ａの外面から抑え部２２３Ｂが進出して第二回動部材２２４の押出部２２４Ｂに向けて近接する方向に回動させ、光ディスク１０を抑え部２２３Ｂおよび押出部２２４Ｂ間に挾持保持させる付勢力を作用させる。また、付勢機構部２２５は、光ディスク１０を抑え部２２３Ｂおよび押出部２２４Ｂにより挾持保持しているターンテーブル２２１から脱着する際、光ディスク１０が装着孔１１に嵌挿する軸支部２２１Ａが外される状態に第一回動部材２２３が付勢力に抗して回動されると、第二回動部材２２４を回動させて押出部２２４Ｂにより光ディスク１０を装着孔１１から軸支部２２１Ａが外れる方向、すなわち上方に押し出す状態に付勢力を作用させる。
具体的には、付勢機構部２２５は、着脱付勢部材２２５Ａと、挾持付勢部材２２５Ｂと、を備えている。
【００１７】
着脱付勢部材２２５Ａは、軸支部２２１Ａの軸方向の他端部である上端部近傍に第一回動部材２２３に対応して配設され、第一回動部材２２３の抑え部２２３Ｂが軸支部２２１Ａの外面から後退した状態を維持させる付勢力を作用させるとともに、この付勢力に抗して第一回動部材２２３が回動されると抑え部２２３Ｂを進出する状態に付勢力を作用させる。すなわち、着脱付勢部材２２５Ａは、例えば軸支部２２１Ａの端部に軸支部２２１Ａの中心から放射状に設けられた凹溝状の凹溝部内に配設され、移動子２２５Ａ１と、弾性部材としての例えばコイルばね２２５Ａ２と、を備えている。
移動子２２５Ａ１は、例えば柱状に形成され、軸方向の一端部に先端部に従って幅寸法が狭くなる状態の楔状部２２５Ａ３が設けられ、この楔状部２２５Ａ３が軸支部２２１Ａの外周面側に位置する状態で、かつ軸支部２２１Ａの径方向で移動可能に図示しない凹溝部内に配設されている。
また、コイルばね２２５Ａ２は、図４に示すように、移動子２２５Ａ１の楔状部２２５Ａ３が第一回動部材２２３の底面２２３Ａ１側に進出する状態に付勢し、第一回動部材２２３の抑え部２２３Ｂが軸支部２２１Ａの外周面から後退した状態を維持させる。さらに、コイルばね２２５Ａ２は、図６に示すように、第一回動部材２２３が回動されて、規制部２２３Ｃがコイルばね２２５Ａ２の付勢力に抗して移動子２２５Ａ１を乗り越えるように回動されると、移動子２２５Ａ１の楔状部２２５Ａ３の先端部が規制部２２３Ｃの回動端の端面に当接し、移動子２２５Ａ１を介して規制部２２３Ｃを押し出すように付勢する。このことにより、第一回動部材２２３の抑え部２２３Ｂが軸支部２２１Ａの外周面から進出する状態が維持される。
【００１８】
挾持付勢部材２２５Ｂは、例えば軟質ゴムやコイルばねなどの弾性部材にて形成され、第一回動部材２２３の規制部２２３Ｃと第二回動部材２２４の付勢部２２４Ｃとの間に配設されている。
そして、挾持付勢部材２２５Ｂは、規制部２２３Ｃと付勢部２２４Ｃとの間の距離が所定距離より幅狭となる状態に、第一回動部材２２３および第二回動部材２２４が相対的に回動されると、規制部２２３Ｃと付勢部２２４Ｃとの対向方向で潰される状態に弾性変形されて、弾性変形による復元力である付勢力により、規制部２２３Ｃおよび付勢部２２４Ｃを互いに離間する方向に回動させる。
【００１９】
すなわち、付勢機構部２２５は、着脱付勢部材２２５Ａの付勢力により、第一回動部材２２３の抑え部２２３Ｂが図４に示すように後退状態では、挾持付勢部材２２５Ｂの付勢力により、第二回動部材２２４の押出部２２４Ｂが鍔部２２１Ｂから離間する方向に上方へ回動した状態となる、光ディスク１０の未装着状態である待機状態となる。
また、付勢機構部２２５は、光ディスク１０のターンテーブル２２１に装着される際には、図５に示すように、光ディスク１０により第二回動部材２２４が鍔部２２１Ｂ側に押圧されるように回動されると、挾持付勢部材２２５Ｂが潰れて、着脱付勢部材２２５Ａのコイルばね２２５Ａ２の付勢に抗して移動子２２５Ａ１を第一回動部材２２３の規制部２２３Ｃが乗り越える状態に回動する。そして、図６に示すように、抑え部２２３Ｂと第二回動部材２２４の押出部２２４Ｂとにて光ディスク１０を挾持する状態に、コイルばね２２５Ａ２の付勢力により第一回動部材２２３の抑え部２２３Ｂが進出する状態が維持されて、光ディスク１０の挾持状態が維持されて光ディスク１０の保持状態が維持され、光ディスク１０がターンテーブル２２１に装着される。
【００２０】
このように、ターンテーブル２２１は、ディスク係脱部２２２に光ディスク１０の装着孔１１を係合させることで、光ディスク１０を回転可能に保持する。
そして、ディスク回転駆動手段２２０は、制御回路部に電気的に接続され、制御回路部から入力される所定の信号に基づいて駆動される。すなわち、制御回路部から所定の信号が入力されると、回転用電動モータが駆動されてターンテーブル２２１が回転され、この回転するターンテーブル２２１に装着された光ディスク１０も回転される。
【００２１】
また、台座部２１０には、図１および図２に示すように、処理移動手段２３０が配設されている。
処理移動手段２３０は、軸方向が略平行に台座部２１０に配設された図示しない一対のガイドシャフトと、例えばステッピングモータである図示しない移動用電動モータと、を備えている。
移動用電動モータの図示しない出力軸には、外周面に螺旋状の図示しない係合溝が設けられたリードスクリュが同軸上に一体に連結されている。
【００２２】
さらに、台座部２１０には、処理移動手段２３０に支持された情報処理部２４０が配設されている。
この情報処理部２４０は、一対のガイドシャフト間に架橋する状態で保持される移動保持部２４１を備えている。この移動保持部２４１には、ガイドシャフトを移動可能に嵌挿する図示しない保持部と、移動用電動モータの出力軸に連結されたリードスクリュの係合溝に係合する図示しない移動規制爪部と、を備えている。そして、情報処理部２４０は、例えば図示しないフレキシブル回路により制御回路部に電気的に接続されている。
また、この情報処理部２４０は、図示しない光源と、この光源からの光を収束するレンズ２５１と、光ディスク１０で反射された出射光を検出する図示しない光センサとを有する光ピックアップ２５０を備えている。この光ピックアップ２５０は、情報処理部２４０に接続されるフレキシブル回路に電気的に接続され、このフレキシブル回路を介して制御回路部に接続されている。そして、光ピックアップ２５０は、制御回路部の制御により、光ディスク１０の記録面１２（図５ないし図７参照）に記録された各種情報を読み取って出力回路部へ出力する読取処理や、制御回路部からの各種情報を記録面１２に記録する記録処理を実施する。
【００２３】
そして、台座部２１０の上面側には、図１および図２に示すように、カバー部材としてのＴＭカバー部材３００が設けられている。
このＴＭカバー部材３００は、例えばアルミなどの軽量金属により形成され、トラバースメカ２００のディスク回転駆動手段２２０の回転用電動モータ、処理移動手段２３０、情報処理部２４０の一部、フレキシブル回路を覆う状態に台座部２１０に固定されている。そして、このＴＭカバー部材３００は、フレキシブル回路の光ディスク１０側への突出や、光ディスク１０の情報処理部２４０への接触などを防止する。
そして、ＴＭカバー部材３００は、情報処理部２４０の光ピックアップ２５０の移動経路、すなわちターンテーブル２２１の径方向に沿って処理開口部３０１が設けられている。この処理開口部３０１により、光ピックアップ２５０のレンズ２５１が光ディスク１０の記録面１２に対向し、記録面１２に所定波長の光を射出可能となっている。
【００２４】
〔ディスク装置の動作〕
次に、上記ディスク装置の動作について説明する。
【００２５】
まず、利用者により、例えば化粧板１２２に配設されたイジェクトボタンの操作など、トレイ部１２０の進出要求に応じて係脱手段の係合状態が解除されてケース体１１０からトレイ部１２０が進出され、このトレイ部１２０に配設されるトラバースメカ２００のターンテーブル２２１に光ディスク１０が装着される。
この装着の際、利用者がターンテーブル２２１の軸支部２２１Ａに光ディスク１０の装着孔１１を位置させ、装着孔１１に軸支部２２１Ａの上端部を嵌挿させる。この状態で、ディスク係脱部２２２は、図３および図４に示すように待機状態となっていることから、装着孔１１の内周縁がディスク係脱部２２２の第二回動部材２２４の押出部２２４Ｂ上に載置する状態となる。そして、利用者により、光ディスク１０の装着孔１１周縁を押し込むように押圧すると、第二回動部材２２４は、押出部２２４Ｂがターンテーブル２２１の鍔部２２１Ｂ側に移動する状態に回動される。この第二回動部材２２４の回動により、図５に示すように、付勢機構部２２５の挾持付勢部材２２５Ｂが第一回動部材２２３の規制部２２３Ｃと第二回動部材２２４の付勢部２２４Ｃとの間で潰される状態に弾性変形され、この弾性変形による復元力により、第一回動部材２２３を抑え部２２３Ｂが軸支部２２１Ａの外周面から進出する状態に回動する付勢力として作用する。
そして、挾持付勢部材２２５Ｂの復元力は、第一回動部材２２３の底面２２３Ａ１と、着脱付勢部材２２５Ａの移動子２２５Ａ１の楔状部２２５Ａ３とにより、着脱付勢部材２２５Ａのコイルばね２２５Ａ２の付勢力に抗して移動子２２５Ａ１を軸支部２２１Ａの径方向の中心側へ移動させる分力として作用する。このことにより、第一回動部材２２３の規制部２２３Ｃが移動子２２５Ａ１を乗り越える状態に第一回動部材２２３が回動され、抑え部２２３Ｂが軸支部２２１Ａの外周面から進出する。そして、第二回動部材２２４の押出部２２４Ｂが鍔部２２１Ｂに当接して移動規制された状態となると、図６に示すように、第一回動部材２２３の抑え部２２３Ｂと第二回動部材２２４の押出部２２４Ｂとにて光ディスク１０を挾持するとともに、光ディスク１０の装着孔１１の周縁部が滑り止め部２２１Ｃに当接する。この挾持する状態では、第一回動部材２２３の規制部２２３Ｃは移動子２２５Ａ１を乗り越えているので、コイルばね２２５Ａ２の付勢力により軸支部２２１Ａの径方向の外方へ押し出される移動子２２５Ａ１により、規制部２２３Ｃが押し出されるように付勢され、第一回動部材２２３の抑え部２２３Ｂが軸支部２２１Ａの外周面から進出する状態が維持、すなわち光ディスク１０を挾持する状態が維持され、光ディスク１０がターンテーブル２２１に保持される。
なお、光ディスク１０の厚さ寸法が異なるものが装着された場合には、例えば図７に示すように、厚さ寸法に応じて、挾持付勢部材２２５Ｂの弾性変形量が変化して抑え部２２３Ｂおよび押出部２２４Ｂ間も光ディスク１０の厚さ寸法に対応して変化し、確実に光ディスク１０が挾持保持される。
【００２６】
この光ディスク１０の装着後、トレイ部１２０がケース体１１０内に格納され、例えば利用者の操作により、装着された光ディスク１０に所定の処理を実施する旨の信号が入力されると、ディスク装置１００の制御回路部は、ディスク回転駆動手段２２０に所定の信号を入力する。これにより、ディスク回転駆動手段２２０の回転用電動モータが駆動し、ターンテーブル２２１が回転されるとともに、ターンテーブル２２１に装着された光ディスク１０も回転される。
この後、制御回路部は、情報処理部２４０の移動制御を実施するとともに、光ピックアップ２５０のレンズ２５１から所定波長の光が光ディスク１０の記録面１２に射出され、光センサにて記録面１２で反射された光を受光することにより光ディスク１０に所定の処理を実施する。
【００２７】
一方、光ディスク１０の脱着の際、利用者の入力操作によりケース体１１０からトレイ部１２０が進出され、例えば利用者が光ディスク１０の外周縁を持って光ディスク１０をターンテーブル２２１に対して持ち上げるように引き上げ力を作用させると、第一回動部材２２３を抑え部２２３Ｂが軸支部２２１Ａの外周面から後退する方向へ回動される状態となる。この第一回動部材２２３の回動により、規制部２２３Ｃが着脱付勢部材２２５Ａのコイルばね２２５Ａ２の付勢力に抗して移動子２２５Ａ１を軸支部２２１Ａの径方向の中心側へ移動させて移動子２２５Ａ１を乗り越える状態となる。この規制部２２３Ｃの移動子２２５Ａ１の乗り越えにより、コイルばね２２５Ａ２の付勢力により、移動子２２５Ａ１が楔状部２２５Ａ３により第一回動部材２２３の底面２２３Ａ１側へ進出する状態となり、第一回動部材２２３の回動が補助される。そして、第一回動部材２２３は、抑え部２２３Ｂが軸支部２２１Ａの外周面から後退した状態で維持される。
この第一回動部材２２３の回動により、付勢機構部２２５の挾持付勢部材２２５Ｂが第一回動部材２２３の規制部２２３Ｃと第二回動部材２２４の付勢部２２４Ｃとの間で潰される状態に弾性変形され、この弾性変形による復元力により、第二回動部材２２４は押出部２２４Ｂがターンテーブル２２１の鍔部２２１Ｂから離間する方向へ回動される状態となる。このことにより、回動する第二回動部材２２４により、押出部２２４Ｂが光ディスク１０の装着孔１１の周縁部を軸支部２２１Ａの上端部側へ持ち上げる状態となり、光ディスク１０の利用者による持ち上げが補助され、光ディスク１０が円滑にターンテーブル２２１から脱着される。
【００２８】
〔ディスク装置の作用効果〕
上述したように、上記一実施形態では、ターンテーブル２２１の光ディスク１０の装着孔１１に挿通する軸支部２２１Ａに、この軸支部２２１Ａの軸方向に略直交しかつ軸支部２２１Ａの外周面の接線方向に略沿う状態に配設される回動軸２２６により回動可能で、回動により軸支部２２１Ａの外周面から進退する抑え部２２３Ｂを回動端に有した第一回動部材２２３を配設する。また、軸支部２２１Ａに、回動軸２２６により回動可能で、回動により軸支部２２１Ａの軸方向に略沿って移動する状態に軸支部２２１Ａの外周面から突出する押出部２２４Ｂを有した第二回動部材２２４を配設する。さらに、光ディスク１０の装着孔１１に軸支部２２１Ａが挿通されて第二回動部材２２４の押出部２２４Ｂに光ディスク１０が当接して第二回動部材２２４が回動されると、第一回動部材２２３を軸支部２２１Ａの外周面から抑え部２２３Ｂが進出して押出部２２４Ｂに向けて近接する方向に回動させ、光ディスク１０を抑え部２２３Ｂと押出部２２４Ｂとの間に挾持保持させる付勢力を作用させる付勢機構部２２５を設けている。
このため、光ディスク１０は、第二回動部材２２４の押出部２２４Ｂに当接して回動させた後に第一回動部材２２３の抑え部２２３Ｂが挟み込むように進出して挾持保持するので、第一回動部材２２３および第二回動部材２２４の２つの回動する部材と、これらの回動状態を規制・付勢する付勢機構部２２５との簡単な構成で、厚さ寸法が異なる光ディスク１０でも確実に挾持保持できる。さらには、第一回動部材２２３の抑え部２２３Ｂは、光ディスク１０の厚さ方向で覆い被さるように回動して光ディスク１０を挟み込むようにして保持するので、例えば貼り合わせた複合ディスクなどのような厚さ寸法が厚い光ディスク１０が装着された際に、貼り合わされた境界部分に光ディスク１０を係止するための爪などの部材が入り込んで光ディスク１０を損傷するなどの不都合もなく、確実に光ディスク１０を保持できる。
【００２９】
そして、第一回動部材２２３の抑え部２２３Ｂが軸支部２２１Ａの上端側から下端側となる鍔部２２１Ｂ側に向けて回動することにより、抑え部２２３Ｂが軸支部２２１Ａの外周面から進出する状態に第一回動部材２２３を軸支している。また、第二回動部材２２４の押出部２２４Ｂが軸支部２２１Ａの上端側から第一回動部材２２３の抑え部２２３Ｂに対向する面が鍔部２２１Ｂの平面上の位置、またはこの平面上から軸支部２２１Ａの一端側となる鍔部２２１Ｂ側に位置する状態に第二回動部材２２４を軸支している。
このため、付勢機構部２２５の付勢力により、第一回動部材２２３の抑え部２２３Ｂが進出して押出部２２４Ｂと挾持保持する状態で、抑え部２２３Ｂは光ディスク１０を鍔部２２１Ｂの滑り止め部２２１Ｃに押し付ける状態、すなわち抑え部２２３Ｂと鍔部２２１Ｂとの間に滑り止め部２２１Ｃを介して狭持保持する状態も得られる。したがって、より確実にターンテーブル２２１の回転に対応して光ディスク１０を回転できる保持が容易に得られる。
【００３０】
また、滑り止め部２２１Ｃとして、例えばゴムなどの摩擦抵抗の比較的に大きい部材を用いている。このため、高速回転や高速回転からの停止などでも、光ディスク１０を確実に保持できることが、例えばゴム材を貼り付けるなどの簡単な構成で容易に得られる。特に、第一回動部材２２３における光ディスク１０を挾持保持する際の回動方向に位置する鍔部２２１Ｂに設けるので、簡単な構成で確実な保持が容易に得られる。
【００３１】
そして、第一回動部材２２３および第二回動部材２２４を回動軸２２６により同軸上に軸支している。
このため、最小限の部材で厚さ寸法が異なる光ディスク１０でも確実に保持できる構成が得られ、構成の簡略化、製造性の向上、コストの低減、小型化などが容易に得られる。
【００３２】
さらに、第一回動部材２２３の抑え部２２３Ｂは、第二回動部材２２４の押出部２２４Ｂとの対向距離が回動端側に従って長くなる状態に拡開する傾斜面を有した形状に形成している。
このため、厚さ寸法が異なる光ディスク１０でも、回動端に従って肉薄となる楔状に形成するなどの簡単な構成で確実に保持できる。したがって、製造性の向上、小型化などが容易に得られる。
【００３３】
また、付勢機構部２２５として、第一回動部材２２３の抑え部２２３Ｂおよび第二回動部材２２４の押出部２２４Ｂにより光ディスク１０を挾持保持している状態で、光ディスク１０が装着孔１１に嵌挿する軸支部２２１Ａが外される状態、すなわち光ディスク１０の脱着の際、第一回動部材２２３が付勢力に抗して回動されると、第二回動部材２２４を回動させて押出部２２４Ｂにより光ディスク１０を装着孔１１から軸支部２２１Ａが外れる方向へ押し出させる付勢力を作用させる構成としている。
このため、光ディスク１０を脱着する際、回動部材２２３を一旦回動させると、付勢機構部２２５の付勢力により光ディスク１０の脱着が補助されることとなり、脱着作業性も向上できる。
【００３４】
そして、第一回動部材２２３に、回動中心に対して抑え部２２３Ｂと反対側へ突出する規制部２２３Ｃを設けている。また、第二回動部材２２４に、回動中心に対して押出部２２４Ｂと反対側へ突出し規制部２２３Ｃに略対向する状態の付勢部２２４Ｃを設けている。そして、付勢機構部２２５に、規制部２２３Ｃおよび付勢部２２４Ｃ間に位置して、所定の対向距離より短くなると互いに離間させる方向に付勢力を作用させる挾持付勢部材２２５Ｂを設けている。
このため、光ディスク１０の装着時に第二回動部材２２４が押圧されて回動されることにより抑え部２２３Ｂが軸支部２２１Ａの外周面から進出する状態に第一回動部材２２３を回動させて光ディスク１０を挾持保持させる構成が、簡単な構成で容易に得られる。したがって、小型化や製造性の向上などが容易に得られる。
【００３５】
さらに、挾持付勢部材２２５Ｂとして、例えばゴムやコイルばねなどの弾性部材を利用している。
このため、略対向する状態の規制部２２３Ｃおよび付勢部２２４Ｃ間に弾性部材を介在させる簡単な構成で、厚さ寸法が異なる光ディスク１０でも確実に光ディスク１０の挾持保持ができる。
【００３６】
また、付勢機構部２２５として、第一回動部材２２３の抑え部２２３Ｂが軸支部２２１Ａの外周面から後退した状態を維持させる付勢力を作用させるとともに、この付勢力に抗して第一回動部材２２３が回動されると抑え部２２３Ｂが、軸支部２２１Ａの外周面から進出した状態を維持させる付勢力を作用させる着脱付勢部材２２５Ａを設けている。
このため、第一回動部材２２３が光ディスク１０を挾持保持する装着時に抑え部２２３Ｂが軸支部２２１Ａ内に待避している待機状態と、第一回動部材２２３が光ディスク１０を抑え部２２３Ｂと第二回動部材２２４の押出部２２４Ｂとにより挾持保持する装着状態とに位置決めしつつ、光ディスク１０の保持の際に確実に挾持保持するための付勢力を作用させる構成が、簡単な構成で容易に得られる。したがって、小型化や製造性の向上などが容易に得られる。
【００３７】
さらに、着脱付勢部材２２５Ａとして、軸支部２２１Ａの径方向に略沿って移動可能で移動方向の端部となる先端部が第一回動部材２２３に係脱する移動子２２５Ａ１と、移動子２２５Ａ１を軸支部２２１Ａの径方向の外方へ移動させる状態に付勢力を作用させるコイルばね２２５Ａ２とを設けて構成している。
このため、軸支部２２１Ａに径方向に略沿ってコイルばね２２５Ａ２により移動子２２５Ａ１を外方に向けて付勢させて第一回動部材２２３に付勢力を作用させる簡単な構成で、厚さ寸法が異なる光ディスク１０でも確実に光ディスク１０の挾持保持ができる。
【００３８】
また、第一回動部材２２３の規制部２２３Ｃとして、抑え部２２３Ｂと同様に、傾斜面を有する楔状に形成している。
このため、第一回動部材２２３が待機状態と装着状態との位置でそれぞれ維持される状態に付勢機構部２２５の付勢力を作用させる構成が、例えば移動子２２５Ａ１を移動可能に付勢する構成を利用するなど、容易に得られる。
【００３９】
そして、簡単な構成で厚さ寸法が異なる光ディスク１０でも確実に挾持保持できるディスク係脱部２２２を備えたターンテーブル２２１を、スリムドライブタイプのディスク装置１００に設けている。
このため、特に薄型が要求されるスリムドライブタイプでも、大型化することなく確実に光ディスク１０を保持できるので、光ディスク１０が位置ずれしたり、保持不良によりターンテーブル２２１からはずれしまったりするなどの不都合がなく、良好な光ディスク１０の情報処理が得られる。
【００４０】
〔実施形態の変形〕
なお、本発明は、上述した一実施の形態に限定されるものではなく、本発明の目的を達成できる範囲で以下に示される変形をも含むものである。
【００４１】
すなわち、本発明のディスク装置を、いわゆるスリムドライブタイプを例示して説明したが、例えばトレイにトラバースメカ２００が配設されていないトレイタイプなどの各種形態のディスク装置１００に適用できる。また、設置型の記録再生装置、記録装置、再生装置、設置型や携帯型のパーソナルコンピュータ、ナビゲーション装置、ディスクカメラレコーダなど、各種電気機器に適用できる。
【００４２】
そして、ディスク係脱部２２２として、第一回動部材２２３および第２回動部材２２４としては、上述した略三角柱状や略く字状に屈曲する形態に限らず、適宜設計すればよい。
また、回動軸２２６としては、別体構成を例示したが、例えば第一回動部材２２３または第二回動部材２２４に一体に設け、他方を同軸上に回動可能に係合させて軸支するなどの構成としてもよい。さらには、回動軸２２６を軸支部２２１Ａに一体に突設された構成とし、この回動軸２２６に回動可能にそれぞれ係合させる構成としてもよい。
さらに、互いに同軸上に軸支する構成に限らず、それぞれ別々の回動中心で回動可能に軸支する構成とするなどしてもよい。
【００４３】
また、付勢機構部２２５として、着脱付勢部材２２５Ａと挾持付勢部材２２５Ｂとを備えた構成を例示したが、上述したように、第一回動部材２２３および第二回動部材２２４の回動を適宜規制・付勢するいずれの構成に設計できる。
さらに、着脱付勢部材２２５Ａとしても、移動子２２５Ａ１およびコイルばね２２５Ａ２を備えた構成に限らず、上述したような回動の規制・付勢を実施する構成に適宜設計すればよい。そして、挾持付勢部材２２５Ｂとしても弾性部材を用いる構成に限らない。すなわち、付勢力を適宜作用できる構成、例えば板ばねを利用するなど、各種構成を利用できる。
【００４４】
その他、本発明の実施の際の具体的な構造および手順は、本発明の目的を達成できる範囲で他の構造などに適宜変更できる。
【００４５】
〔実施の形態の効果〕
上述したように、ターンテーブル２２１の光ディスク１０の装着孔１１に挿通する軸支部２２１Ａに、この軸支部２２１Ａの軸方向に略直交しかつ軸支部２２１Ａの外周面の接線方向に略沿う状態に配設される回動軸２２６により回動可能で、回動により軸支部２２１Ａの外周面から進退する抑え部２２３Ｂを回動端に有した第一回動部材２２３を配設する。また、軸支部２２１Ａに、回動軸２２６により回動可能で、回動により軸支部２２１Ａの軸方向に略沿って移動する状態に軸支部２２１Ａの外周面から突出する押出部２２４Ｂを有した第二回動部材２２４を配設する。さらに、光ディスク１０の装着孔１１に軸支部２２１Ａが挿通されて第二回動部材２２４の押出部２２４Ｂに光ディスク１０が当接して第二回動部材２２４が回動されると、第一回動部材２２３を軸支部２２１Ａの外周面から抑え部２２３Ｂが進出して押出部２２４Ｂに向けて近接する方向に回動させ、光ディスク１０を抑え部２２３Ｂと押出部２２４Ｂとの間に挾持保持させる付勢力を作用させる付勢機構部２２５を設けている。
このため、光ディスク１０は、第二回動部材２２４の押出部２２４Ｂに当接して回動させた後に第一回動部材２２３の抑え部２２３Ｂが挟み込むように進出して挾持保持するので、第一回動部材２２３および第二回動部材２２４の２つの回動する部材と、これらの回動状態を規制・付勢する付勢機構部２２５との簡単な構成で、厚さ寸法が異なる光ディスク１０でも確実に挾持保持できる。さらには、第一回動部材２２３の抑え部２２３Ｂは、光ディスク１０の厚さ方向で覆い被さるように回動して光ディスク１０を挟み込むようにして保持するので、例えば貼り合わせた複合ディスクなどのような厚さ寸法が厚い光ディスク１０が装着された際に、貼り合わされた境界部分に光ディスク１０を係止するための爪などの部材が入り込んで光ディスク１０を損傷するなどの不都合もなく、確実に光ディスク１０を保持できる。
よって、ディスク装置１００を大型化することなく、良好に光ディスク１０の情報処理ができる。
【図面の簡単な説明】
【００４６】
【図１】本発明の一実施形態に係るディスク装置の内部の概略を示す平面図である。
【図２】前記一実施形態におけるディスク装置のトレイ部を引き出した状態におけるディスク装置の内部を示す平面図である。
【図３】前記一実施形態におけるターンテーブルを示す平面図である。
【図４】前記一実施形態におけるターンテーブルのディスク係脱部の位置での一部を切り欠いた断面図で、光ディスクの装着待機状態を示す説明図ある。
【図５】前記一実施形態におけるターンテーブルのディスク係脱部の位置での一部を切り欠いた断面図で、光ディスクの装着途中の状態を示す説明図ある。
【図６】前記一実施形態におけるターンテーブルのディスク係脱部の位置での一部を切り欠いた断面図で、光ディスクの装着状態を示す説明図ある。
【図７】前記一実施形態におけるターンテーブルのディスク係脱部の位置での一部を切り欠いた断面図で、厚い光ディスクの装着状態を示す説明図である。
【符号の説明】
【００４７】
１０………ディスク状の記録媒体である光ディスク
１１………孔部としての装着孔
１００………ディスク装置
２２１………記録媒体保持装置としてのターンテーブル
２２１Ａ……軸支部
２２１Ｂ……鍔部
２２１Ｃ……滑り止め部
２２３………第一回動部材
２２３Ｂ……抑え部
２２４………第二回動部材
２２４Ｂ……押出部
２２５………付勢機構部
２２５Ａ……着脱付勢部材
２２５Ａ１…移動子
２２５Ａ２…弾性部材としてのコイルばね
２２５Ｂ……挾持付勢部材
２４０………情報処理部
【図１】
2008117477.tif 000003
【図２】
2008117477.tif 000004
【図３】
2008117477.tif 000005
【図４】
2008117477.tif 000006
【図５】
2008117477.tif 000007
【図６】
2008117477.tif 000008
【図７】
2008117477.tif 000009